(57)【要約】【課題】載置された頭部が動かない場合でも、頭部の保冷効果を長時間に亘って維持することのできる保冷機能付き枕を提供する。【解決手段】枕本体１０の上面側に頭部が載置されると、頭部近傍の保冷部材２０に熱が伝わるとともに、その熱が金属繊維群２１を介して保冷部材２０における広い範囲に伝わり、保冷部材２０における広い範囲において金属繊維群２１から潜熱蓄熱材２２に効率良く熱が伝わるので、載置された頭部が移動しない場合でも、頭部近傍の潜熱蓄熱材２２だけではなく保冷部材２０における広い範囲の潜熱蓄熱材２２に頭部の熱が伝わり、頭部の保冷効果を長時間に亘って維持することができる。【選択図】図２
2008289705.tif 000002
【特許請求の範囲】
【請求項１】
使用者の頭部を支持する枕本体と、
枕本体の上面側に設けられた保冷部材とを備え、
前記保冷部材に、金属繊維群と、金属繊維群の各金属繊維同士の隙間に入り込むように設けられるとともに相変化に伴う潜熱を利用して蓄熱可能な潜熱蓄熱材とを設けた
ことを特徴とする保冷機能付き枕。
【請求項２】
前記保冷部材に金属繊維群及び潜熱蓄熱材を収容する収容部材を設けた
ことを特徴とする請求項１記載の保冷機能付き枕。
【請求項３】
使用者の頭部を支持する枕本体と、
枕本体の上面側に設けられた保冷部材とを備え、
前記保冷部材に、金属製網状部材と、金属製網状部材の隙間に入り込むように設けられるとともに相変化に伴う潜熱を利用して蓄熱可能な潜熱蓄熱材とを設けた
ことを特徴とする保冷機能付き枕。
【請求項４】
前記保冷部材に金属製網状部材及び潜熱蓄熱材を収容する収容部材を設けた
ことを特徴とする請求項３記載の保冷機能付き枕。
【請求項５】
前記保冷部材を、枕本体の上面側における使用者丈方向の下端から所定距離だけ離れた位置且つ使用者丈方向の上端から所定距離だけ離れた位置に使用者幅方向に延びるように設けた
ことを特徴とする請求項１、２、３または４記載の保冷機能付き枕。
【請求項６】
前記潜熱蓄熱材を粉体から構成し、
粉体の各粉粒を、所定温度で固相から液相に相変化するコア材と、コア材を収容するカプセル部材とから構成した
ことを特徴とする請求項１、２、３、４または５記載の保冷機能付き枕。
【請求項７】
前記潜熱蓄熱材を粉体が分散している液体またはゲル状体から構成し、
粉体の各粉粒を、所定温度で固相から液相に相変化するコア材と、コア材を収容するカプセル部材とから構成した
ことを特徴とする請求項１、２、３、４または５記載の保冷機能付き枕。
【請求項８】
前記潜熱蓄熱材を粉体が所定形状に固められて成る粒状体から構成し、
粉体の各粉粒を、所定温度で固相から液相に相変化するコア材と、コア材を収容するカプセル部材とから構成した
ことを特徴とする請求項１、２、３、４または５記載の保冷機能付き枕。
【請求項９】
前記潜熱蓄熱材を少なくとも一部の繊維が粉体を有する合成繊維群または天然繊維群から構成し、
粉体の各粉粒を、所定温度で固相から液相に相変化するコア材と、コア材を収容するカプセル部材とから構成した
ことを特徴とする請求項１、２、３、４または５記載の保冷機能付き枕。
【請求項１０】
芳香剤を収容するとともに収容した芳香剤の香りを外部に放出可能な芳香剤収容部材を備えた
ことを特徴とする請求項１、２、３、４、５、６、７、８または９記載の保冷機能付き枕。
【発明の詳細な説明】
【技術分野】
【０００１】
本発明は、使用者の頭部を保冷可能な保冷機能付き枕に関するものである。
【背景技術】
【０００２】
従来、この種の保冷機能付き枕としては、相変化に伴う潜熱を利用して蓄熱可能な粒状の潜熱蓄熱材と、潜熱蓄熱材を収容する袋部材とを備え、袋部材上に使用者の頭部を支持するようにしたものが知られている（例えば、特許文献１参照。）。
【特許文献１】実開平３−３９０２１号公報
【発明の開示】
【発明が解決しようとする課題】
【０００３】
ところで、前記保冷機能付き枕では、袋部材上に頭部が載置され、頭部近傍の潜熱蓄熱材に熱が伝わると、潜熱蓄熱材が相変化する所定温度に維持され、頭部を保冷するようになっている。
【０００４】
しかしながら、相変化を利用した潜熱蓄熱材は金属等のように熱伝導性に優れた材料ではないので、載置された頭部が動かない場合は、頭部近傍の潜熱蓄熱材のみが相変化し、その他の部分の潜熱蓄熱材には熱が伝わり難いので、袋部材内の潜熱蓄熱材の潜熱を効率良く利用することができず、頭部の保冷効果を長時間に亘って維持することができないという問題点があった。
【０００５】
本発明は前記問題点に鑑みてなされたものであり、その目的とするところは、載置された頭部が動かない場合でも、頭部の保冷効果を長時間に亘って維持することのできる保冷機能付き枕を提供することにある。
【課題を解決するための手段】
【０００６】
本発明の保冷機能付き枕は前記目的を達成するために、使用者の頭部を支持する枕本体と、枕本体の上面側に設けられた保冷部材とを備え、前記保冷部材に、金属繊維群と、金属繊維群の各金属繊維同士の隙間に入り込むように設けられるとともに相変化に伴う潜熱を利用して蓄熱可能な潜熱蓄熱材とを設けている。
【０００７】
これにより、枕本体の上面側に保冷部材を設けていることから、枕本体の上面側に頭部が載置されると、頭部近傍の保冷部材に熱が伝わる。また、保冷部材に金属繊維群を設けたことから、頭部近傍の保冷部材に伝わった熱が金属繊維群を介して保冷部材における広い範囲に伝わる。さらに、保冷部材に金属繊維群の各金属繊維同士の隙間に入り込むように設けられた潜熱蓄熱材を設けたことから、保冷部材における広い範囲において金属繊維群から潜熱蓄熱材に効率良く熱が伝わる。
【０００８】
また、本発明の保冷機能付き枕は、使用者の頭部を支持する枕本体と、枕本体の上面側に設けられた保冷部材とを備え、前記保冷部材に、金属製網状部材と、金属製網状部材の隙間に入り込むように設けられるとともに相変化に伴う潜熱を利用して蓄熱可能な潜熱蓄熱材とを設けている。
【０００９】
これにより、枕本体の上面側に保冷部材を設けていることから、枕本体の上面側に頭部が載置されると、頭部近傍の保冷部材に熱が伝わる。また、保冷部材に金属製網状部材を設けたことから、頭部近傍の保冷部材に伝わった熱が金属製網状部材を介して保冷部材における広い範囲に伝わる。さらに、保冷部材に金属製網状部材の隙間に入り込むように設けられた潜熱蓄熱材を設けたことから、保冷部材における広い範囲において金属製網状部材から潜熱蓄熱材に効率良く熱が伝わる。
【発明の効果】
【００１０】
本発明によれば、枕本体の上面に頭部が載置されると、頭部近傍の保冷部材に熱が伝わるとともに、その熱が金属繊維群または金属製網状部材を介して保冷部材における広い範囲に伝わり、保冷部材における広い範囲において金属繊維群または金属製網状部材から潜熱蓄熱材に効率良く熱が伝わるので、載置された頭部が移動しない場合でも、頭部近傍の潜熱蓄熱材だけではなく保冷部材における広い範囲の潜熱蓄熱材に頭部の熱が伝わり、頭部の保冷効果を長時間に亘って維持することができる。
【発明を実施するための最良の形態】
【００１１】
図１乃至図５は本発明の一実施形態を示すもので、図１は保冷機能付き枕の斜視図、図２は保冷機能付き枕の側面断面図、図３は保冷機能付き枕の平面図、図４は金属繊維群の斜視図、図５は粉体の各粉粒の断面図である。以下の文章中における方向の説明は図１乃至図４に示した方向に準ずる。また、前後方向は使用者丈方向と一致しており、左右方向は使用者幅方向と一致している。
【００１２】
この保冷機能付き枕は、使用者の頭部を支持するための枕本体１０と、枕本体１０の上面側に設けられた保冷部材２０とを備えている。
【００１３】
枕本体１０は、ウレタンフォーム等の弾性を有する海綿状部材、籾殻、そば殻、プラスチック製のビーズ等から成るクッション部材１１と、クッション部材１１を収容するカバー部材１２とを有する。カバー部材１２は周知の天然繊維や合成繊維から成る布材を用いて形成され、枕本体１０の上面側に位置するポケット１２ａを備えている。ポケット１２ａは使用者幅方向に延びるように形成され、カバー部材１２の使用者幅方向の端部に設けられたファスナー１２ｂによって開閉するようになっている。
【００１４】
保冷部材２０は、金属繊維群２１と、金属繊維群２１の各金属繊維同士の隙間に入り込むように設けられるとともに相変化に伴う潜熱を利用して蓄熱可能な潜熱蓄熱材２２と、金属繊維群２１及び潜熱蓄熱材２２を収容する収容部材としての袋部材２３とを有する。
【００１５】
金属繊維群２１は、コイル切削法、びびり振動切削法、収束伸線法、ワイヤ切削法などの周知の方法によって成形され、鉄、アルミニウム、ステンレス、銅等の周知の金属材料から成る。
【００１６】
潜熱蓄熱材２２は粉体から成り、粉体の各粉粒２２ａは、例えば略２５℃で固相から液相に相変化するコア材２２ｂと、コア材２２ｂを収容するカプセル部材２２ｃとを有する（図５参照）。コア材２２ｂとしては、塩化マグネシウム・６水塩、酢酸ナトリウム・３水塩、硝酸マグネシウム・２水塩等の無機化合物系のものや、パラフィンやステアリン酸等の有機化合物系のものが挙げられる。カプセル部材２２ｃはメラミン、ナイロン等のプラスチック材料から成り、コア材２２ｂを覆うように形成されている。潜熱蓄熱材２２の例としては、三菱製紙株式会社製のサーモメモリー（登録商標）や、三木理研工業株式会社製のリケンレジン等が挙げられる。
【００１７】
袋部材２３は金属繊維群２１及び潜熱蓄熱材２２を収容可能に形成され、特に潜熱蓄熱材２２の各粉粒２２ａを収容可能に形成されている。袋部材２３を形成する材料の例としては、ポリエチレン、ポリプロピレン、ナイロン、ポリエステル等の可撓性を有するプラスチック製シートや、金属製フィルムや、表面に金属が蒸着されたプラスチック製のフィルムが挙げられる。袋部材２３は前述のシートやフィルムを１枚または複数枚用いて金属繊維群２１及び潜熱蓄熱材２２を収容している。金属繊維群２１及び潜熱蓄熱材２２の収容は、袋部材２３内に金属繊維群２１を収容した後、潜熱蓄熱材２２を袋部材２３内に充填し、袋部材２３に適度な振動を加える。これにより、金属繊維群２１の各金属繊維同士の隙間に粉体である潜熱蓄熱材２２が入り込む。尚、袋部材２３内を複数の室に分割するとともに、各室をそれぞれ使用者幅方向に延びるように形成し、各室内にそれぞれ金属繊維群２１及び潜熱蓄熱材２２を収容することも可能である。
【００１８】
保冷部材２０は枕本体１０のカバー部材１２におけるポケット１２ａ内に収容される。これにより、保冷部材２０が枕本体１０の上面側に配置される。また、ポケット１２ａ内に収容された保冷部材２０は、枕本体１０の上面側における使用者丈方向の下端から所定距離Ｌ１だけ離れた位置且つ使用者丈方向の上端から所定距離Ｌ２だけ離れた位置に使用者幅方向に延びるように配置される（図１及び図３参照）。これにより、使用者の肩近傍が無用に保冷されることがない。前記所定距離Ｌ１は３０ｍｍ以上１００ｍｍ以下であることが好ましく、３０ｍｍ未満の場合は、使用者の肩付近を無用に保冷する傾向があり、１００ｍｍを超える場合は、保冷部材２０と頭部とが接する接触面積が小さくなり、後述する頭部の保冷効果が低減する傾向がある。前記所定距離Ｌ２は３０ｍｍ以上１００ｍｍ以下であることが好ましく、３０ｍｍ未満である場合は、保冷部材２０の体積が大きくなる傾向があり、製造コストの低減を図る上で有利ではなく、１００ｍｍを超える場合は、保冷部材２０と頭部とが接する接触面積が小さくなり、後述する頭部の保冷効果が低減する傾向がある。
【００１９】
また、枕本体１０のカバー部材１２におけるポケット１２ａ内には、芳香剤を収容した芳香剤収容部材としての芳香剤袋３０も配置される。芳香剤袋３０は天然繊維や合成繊維から成る布材を用いて形成されている。このため、収容している芳香剤の香りを外部に放出可能である。また、芳香剤の例としては、樹木やハーブ等の植物を乾燥して成る乾燥樹葉や、前記植物から抽出された油を含ませたゲル状物質、粒状物質、粉状物質や、その他周知の様々な芳香剤を使用することが可能である。
【００２０】
以上のように構成された保冷機能付き枕は例えばベッドや布団に載置され、使用者の頭部を支持するために用いられる。また、保冷部材２０によって使用者の頭部を保冷するようになっている。
【００２１】
例えば、保冷機能付き枕を外気温が２０℃の場所に放置しておくと、保冷部材２０の潜熱蓄熱材２２も２０℃となり、潜熱蓄熱材２２のコア材２２ｂが固相となる。この状態で、保冷機能付き枕に使用者の頭部が載置されると、枕本体１０の上面側に保冷部材２０が設けられていることから、頭部近傍の保冷部材２０に熱が伝わる。ここで、保冷部材２０に金属繊維群２１を設けたことから、頭部近傍の保冷部材２０に伝わった熱が金属繊維群２１を介して保冷部材２０における広い範囲に伝わる。また、潜熱蓄熱材２２が金属繊維群２１の各金属繊維同士の隙間に入り込むように設けられていることから、保冷部材２０における広い範囲において金属繊維群２１から潜熱蓄熱材２２に効率良く熱が伝わる。
【００２２】
このように、本実施形態によれば、枕本体１０の上面側に頭部が載置されると、頭部近傍の保冷部材２０に熱が伝わるとともに、その熱が金属繊維群２１を介して保冷部材２０における広い範囲に伝わり、保冷部材２０における広い範囲において金属繊維群２１から潜熱蓄熱材２２に効率良く熱が伝わるので、載置された頭部が移動しない場合でも、頭部近傍の潜熱蓄熱材２２だけではなく保冷部材２０における広い範囲の潜熱蓄熱材２２に頭部の熱が伝わり、頭部の保冷効果を長時間に亘って維持することができる。
【００２３】
また、頭部が載置されていない部分において保冷部材２０が冷却され、その冷熱が金属繊維群２１を介して頭部近傍の潜熱蓄熱材２２に伝わるので、頭部の保冷効果を長時間に亘って維持する上で極めて有利である。
【００２４】
また、枕本体１０の上面側における使用者丈方向の下端から所定距離Ｌ１だけ離れた位置、且つ、使用者丈方向の上端から所定距離Ｌ２だけ離れた位置に、使用者幅方向に延びるように保冷部材２０を設けたので、使用者の肩近傍が無用に保冷されることがない。
【００２５】
また、保冷部材２０の潜熱蓄熱材２２を粉体から構成したので、潜熱蓄熱材２２を金属繊維群２１における各金属繊維同士の隙間に容易に入り込ませることができ、製造を容易にして製造コストの低減を図る上で極めて有利である。
【００２６】
また、枕本体１０のポケット部１２ａ内に芳香剤を収容している芳香剤袋３０を設け、芳香剤袋３０は収容している芳香剤の香りを外部に放出可能であることから、保冷機能付き枕の近傍に芳香剤の香りを漂わせることができる。
【００２７】
また、潜熱蓄熱材２２のコア材２２ｂを略２５℃で相変化するように構成したので、２５℃よりも低い外気温において使用する場合に、使用者の頭部を効率的に保冷することができる。
【００２８】
尚、本実施形態では、潜熱蓄熱材２２のコア材２２ｂを、略２５℃で相変化するように構成したものを示したが、外気温に応じて他の温度で相変化するように構成することも可能である。
【００２９】
また、本実施形態では、芳香剤袋３０をカバー部材１２のポケット１２ａ内に配置するようにしたものを示したが、芳香剤袋３０を枕本体１０の他の部分に配置することも可能である。また、芳香剤袋３０の代わりにプラスチック等から成る芳香剤収容部材を用いることも可能である。
【００３０】
尚、本実施形態では、潜熱蓄熱材２２を粉体から構成したものを示したが、潜熱蓄熱材２２を粉体が分散している液体またはゲル状体から構成することも可能である。この場合、粉体の各粉粒２２ａは前述の構成を有している。このため、潜熱蓄熱材２２を各金属繊維同士の隙間に容易に入り込ませることができ、製造を容易にして製造コストの低減を図る上で極めて有利である。また、潜熱蓄熱材２２が粉体から構成されている場合と同様の作用効果を達成することができる。
【００３１】
さらに、潜熱蓄熱材２２を粉体が所定形状に固められて成る粒状体から構成することも可能である。この場合、粉体の各粉粒２２ａは前述の構成を有しており、粒状体の各粒４０の粒径は数百μｍ〜十数ｍｍとなる（図６参照）。また、プラスチックや金属から成る筒状部材５０ａ内に粉体を挿入して固めるとともに、粉体が挿入された筒状部材５０ａを所定の長さに切断することにより、粒状体を構成する各粒５０を形成することも可能である（図７参照）。これらの場合でも、潜熱蓄熱材２２を各金属繊維同士の隙間に容易に入り込ませることができ、潜熱蓄熱材２２が粉体から構成されている場合と同様の作用効果を達成することができる。
【００３２】
また、潜熱蓄熱材２２を少なくとも一部の繊維が粉体を有する合成繊維群または天然繊維群から構成することも可能である。この場合、粉体の各粉粒２２ａは前述の構成を有している。また、合成繊維群または天然繊維群の各繊維６０を単繊維から形成することも可能であり、各繊維６０を複数の単繊維を撚り合わせて成る糸状に形成することも可能である。合成繊維群の各繊維６０の例としては、ポリエステル繊維、ポリアミド繊維、ナイロン繊維、アクリル繊維、レーヨン繊維、トリアセテート繊維、ポリウレタン繊維等が挙げられ、天然繊維群の各繊維６０の例としては、綿、麻、シルク、羊毛等が挙げられる。潜熱蓄熱材２２が合成繊維群から成る場合は、各繊維６０を成形する前の樹脂に粉体を練り込んだ後、各繊維６０を構成する単繊維を成形することにより、各繊維６０内に粉体の各粉粒２２ａが設けられる（図８参照）。また、潜熱蓄熱材２２が天然繊維群から成る場合は、各繊維６０の表面に接着剤等によって粉体を付着させることにより、各繊維６０の表面に粉体の各粉粒２２ａが設けられる（図９参照）。潜熱蓄熱材２２が合成繊維群から成る場合は、各繊維６０の表面に接着剤等によって粉体を付着させることも可能である。図８及び図９は各繊維６０が複数の単繊維を撚り合わせて糸状に形成されている場合を示すものである。
【００３３】
尚、本実施形態では、保冷部材２０が枕本体１０のカバー部材１２のポケット１２ａに収容されるようにしたものを示した。これに対し、保冷部材２０を枕本体１０のカバー部材１２の上面に載置するとともに、保冷部材２０及び枕本体１０を枕カバー等によって覆うことも可能である。この場合でも、保冷部材２０は枕本体１０の上面側に設けられるので、保冷部材２０がポケット１２ａに収容される場合と同様の作用効果を達成することが可能である。
【００３４】
また、本実施形態では、金属繊維群２１及び潜熱蓄熱材２２が袋部材２３に収容されて成る保冷部材２０を設けたものを示した。これに対し、金属繊維群２１に潜熱蓄熱材２２が接着剤等によって付着している場合や、潜熱蓄熱材２２が図８及び図９に示すような一部の繊維が粉体を有する合成繊維群または天然繊維群から構成されている場合は、袋部材２３を省くことも可能である。この場合でも、袋部材２３を設けた場合と同様の作用効果を達成することができる。
【００３５】
尚、本実施形態では、保冷部材２０に金属繊維群２１を設けたものを示したが、金属繊維群２１の代わりに金属製網状部材７０（図１０参照）を設け、金属製網状部材７０を鉄、アルミニウム、ステンレス、銅等の周知の金属材料から形成することも可能である。この場合でも、金属製網状部材７０は金属繊維群２１と同等の機能を有することから、金属繊維群２１を設けた場合と同等の作用効果を達成することができる。
【００３６】
また、本実施形態では、枕本体１０上に頭部が載置されるようにしたものを示したが、枕本体１０を枕カバー等によって覆うことも可能である。
【００３７】
尚、本実施形態では、金属繊維群２１及び潜熱蓄熱材２２を袋部材２３に収容するものを示したが、袋部材２３の代わりに金属繊維群２１及び潜熱蓄熱材２２を収容可能な他の構成のものを使用することも可能である。
【００３８】
また、本実施形態では、枕本体１０の上面側における使用者丈方向の下端から所定距離Ｌ１だけ離れた位置、且つ、使用者丈方向の上端から所定距離Ｌ２だけ離れた位置に使用者幅方向に延びるように保冷部材２０を設けたものを示した。これに対し、枕本体１０の上面側の前面に亘って保冷部材２０を設けることも可能であり、枕本体１０の上面側の他の所定位置に保冷部材２０を設けることも可能である。また、これらの場合でも、頭部の保冷効果を長時間に亘って維持することができる。
【図面の簡単な説明】
【００３９】
【図１】本発明の一実施形態を示す保冷機能付き枕の斜視図
【図２】保冷機能付き枕の側面断面図
【図３】保冷機能付き枕の平面図
【図４】金属繊維群の斜視図
【図５】粉体の各粉粒の断面図
【図６】本実施形態の第１変形例を示す粒状体の各粒の概略図
【図７】本実施形態の第２変形例を示す粒状体の各粒の概略図
【図８】本実施形態の第３変形例を示す繊維の斜視図
【図９】本実施形態の第３変形例を示す繊維の斜視図
【図１０】本実施形態の第４変形例を示す金属製網状部材の斜視図
【符号の説明】
【００４０】
１０…枕本体、１１…クッション部材、１２…カバー部材、１２ａ…ポケット、１２ｂ…ファスナー、２０…保冷部材、２１…金属繊維群、２２…潜熱蓄熱材、２２ａ…粉粒、２３…袋部材、３０…芳香剤袋、４０…粒、５０…粒、６０…繊維、７０…金属製網状部材。
【図１】
2008289705.tif 000003
【図２】
2008289705.tif 000004
【図３】
2008289705.tif 000005
【図４】
2008289705.tif 000006
【図５】
2008289705.tif 000007
【図６】
2008289705.tif 000008
【図７】
2008289705.tif 000009
【図８】
2008289705.tif 000010
【図９】
2008289705.tif 000011
【図１０】
2008289705.tif 000012